(57)【要約】【課題】入賞装置の遊技盤ベース背面側の機構に左右されることなく発光部の設置・選択の自由度が高く、かつ入賞装置の発光箇所と発光部を近接させて入賞装置の効果的な装飾発光が行える遊技機を提供する。【解決手段】遊技盤の前面側で回転可能に備えた第１の可変部材を有する第２の大入賞装置を有し、第１の可変部材と接続して備えられる接続杆１１８と、遊技盤ベースの背面側に配して接続杆を正逆回転させることで第１の可変部材に正逆回転作動を伝達する可変部材駆動制御部と、遊技盤ベースの前面側で第２の大入賞装置内に設置される発光部設置部１０６と、発光部設置部の前面に設置される発光部１０７を備え、発光部設置部１０６は、接続杆１１８が貫通する貫通部（貫通孔）１０６ａを有し、可変部材駆動制御部の前方位置に備えられている。【選択図】図１０
2008302011.tif 000002
【特許請求の範囲】
【請求項１】
遊技盤ベースと、
遊技盤ベースの表面領域内に形成され、遊技球が転動流下する遊技球転動領域と、
遊技盤ベースの表面側に配され、遊技球が入賞し易い開状態と遊技球が入賞し難い閉状態に駆動する可変部材を備えた入賞装置を含み、
遊技盤ベースの背面側から前面側に貫通して備えられるとともに、可変部材と接続して備えられる接続杆と、
遊技盤ベースの背面側に配して前記接続杆を正逆回転させることで可変部材に正逆回転作動を伝達する可変部材駆動制御部と、
遊技盤ベースの前面側で前記入賞装置内に設置される発光部設置部と、
その発光部設置部の前面に設置される発光部を備え、
前記発光部設置部は、前記接続杆が貫通する貫通部を有し、前記可変部材駆動制御部の前方位置に備えられていることを特徴とする遊技機。
【請求項２】
入賞装置は、少なくとも可変部材が透光性を有する部材で形成されていることを特徴とする請求項１に記載の遊技機。
【請求項３】
発光部設置部は、円形状のベース板で構成され、
貫通部はベース板の円の中心に設けられ、
発光部は、前記貫通部を中心として放射状に複数個設置されていることを特徴とする請求項１又は２に記載の遊技機。
【請求項４】
発光部設置部の前面に配され、その発光部設置部を覆う透光性のカバー部材を備え、
可変部材は、円形に形成され、接続杆を回転軸として接続杆とともに正逆回転作動する透光性の円板部を備えた第１の可変部材と、ベース板若しくはカバー部材に固定される第２の可変部材とで構成されており、
第２の可変部材は、円弧状の側面部を有し、その側面部の一部には開口が設けられており、
第１の可変部材は、接続杆の回転作動によって正逆回転作動することにより、前記第２の可変部材の開口を閉鎖及び開放可能な大きさの側面部を、円板部の周面所定領域に設けていることを特徴とする請求項３に記載の遊技機。
【発明の詳細な説明】
【技術分野】
【０００１】
本発明は、弾球遊技機（パチンコ機）、詳しくは、開閉作動する可変入賞装置を備えた遊技機に関する。
【背景技術】
【０００２】
弾球遊技機では、例えば、遊技球が転動流下する遊技球転動領域の所定箇所に各種入賞装置が備えられており、この入賞装置への遊技球の入賞により賞球を得、また所定の演出がなされることにより遊技を楽しむものであるが、さらに遊技者の遊技の興趣を向上させる一つの手段として、各種入賞装置に発光部を備え、その発光部により入賞装置の役物などを光により装飾・演出する遊技機が存在する。
例えば、入賞装置を設置する遊技盤ベースの背面側に、透光性の被覆部材を設け、ベースドアに設けられた液晶表示装置からの光をこの被覆部材によって拡散することにより、入賞装置を光により装飾・演出する遊技機が提案されている（特許文献１）。
また、入賞口の前面部に凸レンズを配し、その後方に光拡散板、そしてその光拡散板の後方であって遊技盤ベースの背面側に光源を設けて電飾効果（装飾・演出効果）を高めようとした遊技機も提案されている（特許文献２）。
【特許文献１】特開２００５−１５２５３９号公報
【特許文献２】特開２００３−６２２０６号公報
【０００３】
しかし、従来のこのような遊技機は、ある程度光による入賞装置（入賞装置の役物など）の装飾効果・電飾効果はあったものの、いずれも発光部が遊技盤ベースの背面側に配されているもので、入賞装置や凸レンズから発光部までの距離が離れており、発光装飾の対象とする役物などの発光装飾が弱いものであるため、光による入賞装置の装飾効果・演出効果を高めたいという要求がある。
【０００４】
また、遊技盤ベースの背面側に発光部を設ける場合、その設置場所に制限が掛かり易い。すなわち、遊技盤ベースの背面側には、入賞装置（入賞機構）の役物を駆動させるためのソレノイド機構や、入賞した遊技球を誘導する通路機構など種々の機構が設けられており、入賞機構が複雑化した場合、遊技盤ベースの背面側に設けられるこれら通路機構なども複雑化、大型化する傾向にある。よって、遊技盤ベースの背面側に発光部を設置する場合、遊技盤ベースの表側に配される役物などを発光装飾するに最適な設置場所を確保するのが困難な場合も考えられる。
【発明の開示】
【発明が解決しようとする課題】
【０００５】
本発明は、このような問題を解決するためになされており、その目的とするところは、入賞装置の遊技盤ベース背面側の機構に左右されることなく発光部の設置・選択の自由度が高く、かつ入賞装置の発光箇所と発光部を近接させて入賞装置の効果的な装飾発光が行える遊技機を提供することである。
【課題を解決するための手段】
【０００６】
このような目的を達成するために、第１の発明は、遊技盤ベース７と、
遊技盤ベース７の表面領域内に形成され、遊技球が転動流下する遊技球転動領域Ａ１と、
遊技盤ベース７の表面側に配され、遊技球が入賞し易い開状態と遊技球が入賞し難い閉状態に駆動する可変部材８８を備えた入賞装置（第２の大入賞装置５０）を含み、
遊技盤ベース７の背面側から前面側に貫通して備えられるとともに、可変部材（第１の可変部材８９）と接続して備えられる接続杆１１８と、
遊技盤ベース７の背面側に配して前記接続杆１１８を正逆回転させることで可変部材（第１の可変部材８９）に正逆回転作動を伝達する可変部材駆動制御部１３０と、
遊技盤ベース７の前面側で前記入賞装置（第２の大入賞装置５０）内に設置される発光部設置部１０６と、
その発光部設置部１０６の前面に設置される発光部１０７を備え、
前記発光部設置部１０６は、前記接続杆１１８が貫通する貫通部１０６ａを有し、前記可変部材駆動制御部１３０の前方位置に備えられていることを特徴とする遊技機としたことである。
【０００７】
本発明によれば、遊技盤ベース７の背面側に備えた可変部材駆動制御部１３０によって正逆回転可能に構成された接続杆１１８が、遊技盤ベース７の前面側に備えた可変部材（第１の可変部材８９）と接続されて直接回転作動せしめるものであるため、発光部１０７を設置する遊技盤ベース７の前面側には種々の駆動機構を設置する必要がない。従来、例えばソレノイド等の可変部材駆動制御部を用いた入賞装置の場合、可変部材駆動制御部の動きを可変部材の回転作動に変換するための各種駆動機構が可変部材駆動制御部の前面側に設置されていたため、可変部材駆動制御部の前面側に発光部を設置することができず、位置的な制約を受けていた。
本発明によれば、正逆回転制御される接続杆１１８が直接に可変部材（第１の可変部材８９）を正逆回転作動させる回転機構として機能するため、可変部材（第１の可変部材８９）の回転作動に変換するための各種機構を設置する必要がなく、発光部１０７の設置場所に位置的な制約を受けない。
すなわち、発光部１０７の設置領域の選択に自由度がある。また、発光部１０７の周囲には、可変部材駆動制御部１３０などの種々の機構などがないことから、発光部１０７の大きさあるいは設置数量や並べ方などの選択にも自由度がある。
また、発光部設置部１０６の中心に、可変部材（第１の可変部材８９）と接続された接続杆１１８が位置し、その接続杆１１８の周囲が発光部設置領域となるため、接続杆１１８に接続された可変部材（第１の可変部材８９）の可変動作を効果的に装飾発光させることができる。
【０００８】
第２の発明は、第１の発明において、入賞装置（第２の大入賞装置５０）は、少なくとも可変部材８８が透光性を有する部材で形成されていることを特徴とする遊技機としたことである。
【０００９】
本発明によれば、発光部１０７からの発光で可変部材８８を発光装飾させることができるため、装飾・演出効果が高くなる。
【００１０】
第３の発明は、第１又は第２の発明において、発光部設置部１０６は、円形状のベース板で構成され、
貫通部１０６ａはベース板の円の中心に設けられ、
発光部１０７は、前記貫通部１０６ａを中心として放射状に複数個設置されていることを特徴とする遊技機としたことである。
【００１１】
本発明によれば、発光部１０７が貫通部１０６ａを貫通する接続杆１１８を中心に放射状に設置されるため、可変部材８８全体を効果的に発光させることができ、装飾・演出効果を向上する。
【００１２】
第４の発明は、第３の発明において、発光部設置部１０６の前面に配され、その発光部設置部１０６を覆う透光性のカバー部材７７を備え、
可変部材８８は、円形に形成され、接続杆１１８を回転軸として接続杆１１８とともに正逆回転作動する透光性の円板部９０を備えた第１の可変部材８９と、ベース板若しくはカバー部材７７に固定される第２の可変部材９５とで構成されており、
第２の可変部材９５は、円弧状の側面部（円環部９７）を有し、その側面部（円環部９７）の一部には開口９８が設けられており、
第１の可変部材８９は、接続杆１１８の回転作動によって正逆回転作動することにより、前記第２の可変部材９５の開口９８を閉鎖及び開放可能な大きさの側面部９４を、円板部９０の周面所定領域に設けていることを特徴とする遊技機としたことである。
【００１３】
本発明によれば、第１の可変部材８９を所定方向へと回転作動させると、第１の可変部材８９の側面部９４が第２の可変部材９５の側面部（円環部９７）の開口９８を塞いでいる状態から円周方向に移動し、その第１の可変部材８９の側面部９４によって閉じられていた領域が開放されて開状態となり、カバー部材７７が第２の可変部材９５の開口９８から視認可能となる。
透光性を有するカバー部材７７からの発光が、可変部材８８を通過せずに視認可能となるので光による装飾発光効果が高まる。このように第２の可変部材９５の開口９８から光がこぼれ出す発光効果により、開口９８があいている開状態であることを明確に報知するとともに、遊技者の興趣を向上させることができる。
【発明の効果】
【００１４】
本発明によれば、入賞装置の遊技盤ベース背面側の機構に左右されることなく発光部の設置・選択の自由度が高く、かつ入賞装置の発光箇所と発光部を近接させて入賞装置の効果的な装飾発光が行える遊技機を提供できた。
【発明を実施するための最良の形態】
【００１５】
以下、本発明の遊技機の一実施形態について説明する。なお、本実施形態では、本発明遊技機の一例として、図に示す形態の弾球遊技機（以下、単に遊技機という。）を挙げて説明するが、本実施形態は本発明遊技機の一例にすぎずなんら図示した形態に限定解釈されるものではなく、その他の形態を有する遊技機、あるいは封入球式遊技機なども対象で、本発明の範囲内で設計変更可能である。すなわち、本発明は、従来にない形態の可変入賞装置を備えたことを要部としているもので、このような本発明を構成する可変入賞装置を備えたものであれば本発明の範囲内である。
【実施例１】
【００１６】
図１は遊技機の一例を示す概略正面斜視図、図２及び図３は図１の遊技機に取り付けられる種々の遊技部材を備えた遊技盤の概略正面図、図４（ａ）は第２の可変入賞装置（大入賞装置）の概略正面図、（ｂ）は右傾斜面部とガイドレールとの位置関係を示す概略図、図５は第２の可変入賞装置の概略斜視図、図６は第２の可変入賞装置の背面図、図７は第２の可変入賞装置を背面側から見た状態の概略斜視図、図８は役物飾りを取り外した状態の第２の可変入賞装置を正面側から見た状態の概略斜視図、図９（ａ）は図８の状態から可変部材（大入賞口カバー部材）を取り外した状態の第２の可変入賞装置を正面側から見た状態の概略斜視図、（ｂ）は図９（ａ）の状態からベース部材とカバー部材を取り外した状態の第２の可変入賞装置を正面側から見た状態の概略斜視図、図１０（ａ）は図９（ｂ）の状態からギアボックスカバーを取り外した状態の第２の可変入賞装置を正面側から見た状態の概略斜視図、（ｂ）は図１０（ａ）の状態から発光部設置部を取り外し、回転駆動機構が露呈した状態の第２の可変入賞装置を正面側から見た状態の概略斜視図、図１１（ａ）は正面側から見た可変部材（大入賞口カバー部材）の概略斜視図、（ｂ）は背面側から見た可変部材（大入賞口カバー部材）の概略斜視図、図１２は可変部材（大入賞口カバー部材）の構成図で、（ａ）は正面側から見た第２の可変部材（固定部材）の概略斜視図、（ｂ）は背面側から見た第２の可変部材（固定部材）の概略斜視図、（ｃ）は正面側から見た第１の可変部材（回転部材）の概略斜視図、（ｄ）は背面側から見た第１の可変部材（回転部材）の概略斜視図、図１３は回転駆動機構及び可変部材駆動制御部の概略斜視図、図１４は第２の可変入賞装置の可変部材（大入賞口カバー部材）の作動状態を示す概略斜視図、図１５は第２の可変入賞装置領域の概略を示す横断面図である。
【００１７】
まず、本実施形態の遊技機の全体構成の概略について説明し、その後、要部である本実施形態の可変入賞装置構成について説明する。
なお、本実施形態では、可変入賞装置の一実施形態として、遊技者にとって有利な遊技状態である大当たり遊技状態のときに可変部材としての大入賞扉が開閉作動する第１の大入賞装置１１，第２の大入賞装置５０を挙げて説明するが、可変入賞装置はこれになんら限定解釈されるものではなく、所定条件の下に所定の可変部材が開閉作動する他の可変入賞装置も本発明の対象である。
【００１８】
遊技機は、遊技場の島設備に配設される本体枠１を含み、該本体枠１に遊技盤６が装着されている。
【００１９】
遊技盤６は、図２及び図３に示すように、透光性部材からなる遊技盤ベース７の表面領域に、外側のガイドレールＬ１と、正面視左側で外側のガイドレールＬ１の内側に配され、所定の遊技球発射領域Ｄを形成する内側のガイドレールＬ２を備え、そのガイドレールＬ１，Ｌ２によって区画された表面領域に、後述する種々の遊技部材を備えて遊技球転動領域Ａ１と図柄表示領域Ａ２からなる遊技領域Ａを構成している。
そして、遊技盤６の背面側には、所定の可変表示開始条件が成立すると、図柄表示領域Ａ２において、複数種類の図柄が可変表示する演出表示装置（例えば液晶表示装置（LCD:Liquid Crystal Display）など）１８が配設されている。
【００２０】
本体枠１の前面側には、透光性を有する合成樹脂板やガラス板などを組み込んで前記遊技盤６を視認可能にして開閉可能に配設される開閉扉２と、該開閉扉２の前面側に一体に備えられる上皿３と、該開閉扉２の下方にて本体枠１の前面側に配設される下皿４およびハンドル５が備えられている。
上皿３の前面側には、演出表示装置１８に変動表示される図柄の変動を、遊技者により停止操作可能な操作手段（図柄停止ボタン）２０が備えられている。
【００２１】
本実施形態におけるハンドル５は、図１に示すように、遊技者側から見た状態で下皿４の左側（図１にて左側）に備えられており、ハンドル５の回動操作により内蔵されている図示しない遊技球発射機構（例えば発射ソレノイドなど）を操作し、遊技球を遊技盤６の遊技球転動領域Ａ１へ打ち出すものである。なお、ハンドル５は、遊技球を発射操作する場合に、遊技者側から見て時計方向に回転させる形態と、反時計方向に回転させる形態のいずれであってもよい。
このようにハンドル５を遊技機の左側に備えたことにより、操作手段（図柄停止ボタン）２０の操作が右手で行えるため、ボタン操作がし易い。また、特に左利きの遊技者にとってハンドル操作がし易くなるという利点もある。
なお、ハンドル５は、遊技者側から見た状態で右側に備えられる形態であってもよく特に限定解釈されるものではない。
【００２２】
遊技盤ベース７は、例えば本実施形態では、その遊技盤ベース７の全体を透光性部材（透明部材）で形成して裏側が視認可能な透明な遊技盤ベースとする。また、遊技盤ベース７は、透光性部材で形成した領域を少なくとも一部に有し、その透光性部材で形成した領域を介して裏側に配設される演出表示装置（液晶表示装置）１８などが遊技者側から視認されることで演出効果・装飾効果などを奏し得るものであればよい。
【００２３】
遊技盤ベース７を形成する透光性部材は、例えば、遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂材、ポリアリレート樹脂材などが任意に選択される。また、樹脂以外の材質、例えばガラスなどを採用することも本発明の範囲内であり設計変更可能である。
遊技盤ベース７の全体を構成する透光性部材は無色透明とするが、有色透明部材を採用することも可能である。また仕様によっては遊技盤ベース７を無色透明部材と有色透明部材とで構成したり、遊技盤ベース７に色彩・模様を施したりすることも可能であり、前記演出表示装置（液晶表示装置）１８の表示に悪影響を及ぼさない範囲内で設計変更可能である。この場合、模様は無色透明の線図が好ましいが、遊技盤ベース７の裏面側に配設される演出表示装置（液晶表示装置）１８の構成によっては有色模様を施すことも可能である。
【００２４】
遊技部材は、本実施形態では、例えば図２及び図３に示すように、一般入賞口となる左右の一般入賞装置８、遊技状態表示器２１の特別図柄変動表示部（以下、遊技状態表示部ともいう。）１３の変動表示を起動すると共に、遊技状態を大当りとするか否かの抽選処理を起動する始動領域としての始動入賞装置９、その始動入賞装置９を拡開するためのチューリップ式の普通電動役物１０、大当たり遊技状態の発生に基づき、入賞口の開放動作を行うアタッカと称する特別電動役物を構成する第１の可変入賞装置（大入賞装置）１１及び第２の可変入賞装置（大入賞装置）５０、遊技状態表示器２１の普通図柄変動表示部１４を作動させるゲート１２、遊技球の流下に変化を与える天釘３０などの多数の遊技釘などが遊技部材として遊技盤ベース７に備えられている。
さらに、本実施形態では、遊技盤ベース７に固定される基部２６ａから前方に向けて突出するように設け、遊技球転動領域Ａ１を転動流下する遊技球が当たり、遊技球の流下方向に変化を与える湾曲状の遊技球誘導板２６を遊技部材として備えている。従って、この構成により、その左側の遊技球転動領域Ａ１で略中央付近に備えた始動入賞装置９への遊技球の入賞率が向上する。
【００２５】
遊技状態表示器２１は、本実施形態では、図２及び図３に示すように、正面視で第１の可変入賞装置１１の左隣りに視認可能に備えられ、前記始動入賞装置９への遊技球の入賞を契機に、大当り判定手段によって遊技者にとって有利な大当り遊技状態に移行させるか否かの抽選を行ない、その結果に基づいて、特別図柄の変動表示の後に表示結果を表示する遊技状態表示部１３と、その他、普通図柄変動表示部１４、特別図柄保留記憶数表示部１５、普通図柄保留記憶数表示部１６、ラウンド数表示部１７などで構成されている。また、各表示部が遊技機前面側から視認可能に透光性を有する表示カバー部材４０を遊技盤６の前方に配設している。
【００２６】
演出表示装置（液晶表示装置）１８は、所定の可変表示開始条件が成立、例えば始動入賞装置９に遊技球が入賞し、遊技状態表示部１３の変動表示が開始することを開始条件として複数種類の装飾図柄１９ａ，１９ｂ，１９ｃが変動表示を開始するスロットマシンのリールの如く装飾図柄による演出表示領域を少なくとも有していればよい（図２及び図３参照）。
ただし、本発明の範囲内でその他の演出画像、例えば遊技状態に対応したアニメーションやその他の報知情報などによる演出表示領域を備えることも可能である。
また、装飾図柄１９ａ，１９ｂ，１９ｃの表示領域の大小及び形状は特に限定されず本発明の範囲内で設計変更可能である。表示領域全体の大小及び形状も任意で、本実施形態のように遊技盤６全体が透明な部材からなる場合には、遊技盤６全体の大きさに対応した大きい領域にわたる大きな表示領域とすることができる。
【００２７】
演出表示装置（液晶表示装置）１８に表示される装飾図柄は、例えばスロット機のリールのように左右に３列（左列装飾図柄１９ａ、中列装飾図柄１９ｂ、右列装飾図柄１９ｃ）に並んで区別され、それぞれが上から下に向かって回転するように変動表示されているリール画像で、各装飾図柄１９ａ，１９ｂ，１９ｃの列毎に複数の装飾図柄が変動表示される。表示される装飾図柄１９ａ，１９ｂ，１９ｃは、特別図柄とは異なる図柄であって、上述の通り、特別図柄の変動開始に応じて変動が開始され、特別図柄の表示結果が導出されるまでの間に、後述する操作手段２０を遊技者が操作することによって停止表示がなされる。また、装飾図柄は、３つの図柄でなくてもよく、また変動表示の態様も上下方向に限られるものではなく、横方向あるいは前後方向などでもよい。
また、本実施形態では、３つの列のそれぞれの停止表示が、それぞれ１つずつ表示される実施の形態であるが、一つの列に複数、例えば３つずつ停止表示される形態などであってもよい。
【００２８】
操作手段２０は、本実施形態では、三列で変動表示する演出表示装置１８の各図柄列（左列装飾図柄１９ａ、中列装飾図柄１９ｂ、右列装飾図柄１９ｃ）に応じて三箇所のボタン（左図停止ボタン２０ａ，中図停止ボタン２０ｂ，右図停止ボタン２０ｃ）が、図１に示すように、上述した上皿３の前面に横並びで備えられている。
この操作手段２０の配設個所、配設個数若しくは形状などは特に限定されるものではなく本発明の範囲内で設計変更可能である。
【００２９】
この操作手段２０は、例えば図示しない遊技制御手段（副制御基板）に電気的に接続されている。そして、左図停止ボタン２０ａが押下されると左図停止信号が、中図停止ボタン２０ｂが押下されると中図停止信号が、右図停止ボタン２０ｃが押下されると右図停止信号がそれぞれ遊技制御手段に入力されるようになっている。すなわち、それぞれの停止信号は、それぞれが対応する図柄を停止表示させるための信号であり、これら信号を受信した遊技制御手段により、演出表示装置（液晶表示装置）１８に変動表示中の対応図柄列の図柄を停止表示させるための制御が行われる。つまり、左図停止ボタン２０ａ、中図停止ボタン２０ｂ、右図停止ボタン２０ｃは、変動表示される各装飾図柄１９（左列装飾図柄１９ａ、中列装飾図柄１９ｂ、右列装飾図柄１９ｃ）を停止させる機能を有している。
【００３０】
本実施形態では、図示しないが、本体枠１内で演出表示装置１８の背面には、遊技の進行を制御する主制御基板（主制御回路）や、該主制御基板（主制御回路）からの信号に従って各演出装置（液晶表示装置１８，スピーカなど）を制御する副制御基板（副制御回路）などの制御装置を配した基板ベースが装着されている。
本実施形態では、前記開閉扉２が配設される本体枠１の前面側上部に、該本体枠１上部に備えられる左右のスピーカを覆うように任意形状のカバー部材２５が配設されている。
【００３１】
始動入賞装置９は、図２及び図３に示すように、始動入賞装置９を拡開するための羽根部材１０ａ，１０ａを備えたチューリップ式の普通電動役物１０を備えており、本実施形態では、遊技機を正面視したときに、左側の遊技球転動領域Ａ１で略中央付近に備えられている。
【００３２】
このような位置に始動入賞装置９を備えたのは、上述した通り、本実施形態では、演出表示装置１８の図を（左列装飾図柄１９ａ、中列装飾図柄１９ｂ、右列装飾図柄１９ｃ）を停止するための操作手段２０（左図停止ボタン２０ａ、中図停止ボタン２０ｂ、右図停止ボタン２０ｃ）を設け、スロットマシン的な遊技を行えるようにしたためである。すなわち、前述の遊技球誘導板２６により遊技球が転動流下する領域を制限した左側の遊技球転動領域Ａ１で略中央付近に始動入賞装置９を備えることで、始動入賞装置９への遊技球の入賞率を上げることができ、スロットマシン的な遊技を行い易くすることができる。
【００３３】
本実施形態の可変入賞装置についてここで説明する。
本実施形態では、遊技盤ベース７の表面側に配され、遊技球が入賞し易い開状態と遊技球が入賞し難い閉状態に駆動する可変部材を備えた第１の可変入賞装置（第１の大入賞装置）１１と第２の可変入賞装置（第２の大入賞装置）５０とを備えている（図２及び図３参照）。
以下、本実施形態では、第１の可変入賞装置を第１の大入賞装置１１と、第２の可変入賞装置を第２の大入賞装置５０として説明する。
ここで、第１の大入賞装置１１は、第２の大入賞装置５０よりも下方に位置するように備えている。
本実施形態において第１の大入賞装置１１は、遊技機を正面視したときに、遊技領域Ａを遊技盤６の上下方向で二分した下方の遊技球転動領域Ａ１の最下部であって、遊技盤６の左右方向の略中央位置に配設し、第２の大入賞装置５０は、遊技領域Ａを遊技盤６の上下方向で二分した上方の遊技球転動領域Ａ１で、かつ天釘３０の配設領域の下方に配設している（図２及び図３参照）。
【００３４】
第１の大入賞装置１１は、本実施形態によれば図に示すように、遊技盤ベース７の前面側と背面側にわたって開口し、遊技球を受け入れ可能な略横長矩形状の大入賞口１１ａと、その大入賞口１１ａを遊技者側に向けて開閉作動する横長板状の大入賞扉１１ｂと、大入賞口１１ａ内の図示しない通路機構及び大入賞扉１１ｂの開放制御を行う図示しない開放制御部材を収納するケース部材で構成されている。なお、この第１の大入賞装置１１は、従来から周知の大入賞装置が採択されるため、その形態の詳細については省略するとともに、特に図示した形状及び配設位置に限定解釈されるものではない。
【００３５】
第２の大入賞装置５０は、遊技盤ベース７の前面側に備えられるベース部材６０と、ベース部材６０の前面側に備えられ、ベース部材６０とともに第２の大入賞口５０ａを構成している正面視で円形形状を有する円筒状の可変部材（大入賞口カバー部材）８８と、そしてベース部材６０の背面側で、かつ遊技盤ベース７の背面側に備えられ、前記可変部材８８を駆動・制御する回転駆動機構１１２及び可変部材駆動制御部１３０と、球通路ベース部材１２１とで構成されている。
なお、第２の大入賞装置５０は、少なくとも、正面視で円形形状を有する円筒状に形成されているものであればよい。
【００３６】
ベース部材６０は、透明な合成樹脂材などの透光性部材で形成され、本実施形態では役物飾り（装飾カバー）８２を設置する役物飾り設置ベース（装飾ベース）６４と、可変部材８８を設置する可変部材設置ベース（アタッカベース）７５を有し、その所定箇所に設けた取付孔６１を介し、ボルトなどの固定部材を用いて遊技盤ベース７の前面側所定位置に取り付け固定される（図２乃至図５、図８及び図９（ａ）参照）。
【００３７】
本実施形態では、図２及び図３に示すように、遊技盤６の正面視で、図柄表示領域Ａ２の左側面上方位置から図柄表示領域Ａ２に下縁６２ａが沿うように右方向に延び、その図柄表示領域Ａ２の上方の遊技球転動領域Ａ１を左右方向に横切るように位置する横長ベース部６２と、その横長ベース部６２と連続し、正面視で右側に位置する外側のガイドレールＬ１１に沿って下方に延び、図柄表示領域Ａ２の右側面から外側のガイドレールＬ１１までの一定領域を占めるとともに、その図柄表示領域Ａ２の右側の遊技球転動領域Ａ１を上下方向に横切るように位置する縦長ベース部６３とで、全体略鉤型の正面視形状を構成している。
そして、正面視でこの横長ベース部６２の左側の所定領域に小さな面積で形成された第１の役物飾り設置ベース（第１の装飾ベース）６５と、その第１の役物飾り設置ベース６５の右側に隣接して形成された可変部材設置ベース（アタッカベース）７５と、その可変部材設置ベース７５の右側に隣接し、縦長ベース部６３の下端６３ｂにまでわたって形成された大きな面積の第２の役物飾り設置ベース（第２の装飾ベース）６６としている。
なお、本実施形態では、役物飾り設置ベース（装飾ベース）６４と可変部材設置ベース（アタッカベース）７５を一体に構成した一実施形態をもって説明するが、役物飾り設置ベース（装飾ベース）６４と可変部材設置ベース（アタッカベース）７５はそれぞれ別体に形成されて別々に遊技盤ベース７に取り付け固定される形態であってもよい。
【００３８】
ベース部材６０の外周面の一部には、遊技球転動領域Ａ１を転動する遊技球を転動案内する傾斜面部を備え、本実施形態では、図５及び図８に示すように、可変部材設置ベース（アタッカベース）７５を挟んで、正面視で左側に左傾斜面部６８、右側に右傾斜面部６９をそれぞれ一体に備えている。
【００３９】
左傾斜面部６８は、例えば本実施形態では、正面視で可変部材設置ベース（アタッカベース）７５の左側に位置する第１の役物飾り設置ベース（第１の装飾ベース）６５の上縁６５ａ側の外周面に、前記可変部材設置ベース７５との境界位置から正面視で左方向（発射領域Ａ４方向）に下り傾斜状に延びた細長平板で、第１の役物飾り設置ベース６５から前方に一定の突出幅をもって一体に突設されている（図８参照）。
左傾斜面部６８の一端（正面視で右側端部６８ａ）は、可変部材設置ベース７５に備えられる可変部材８８の開口９８領域の一端（正面視で左側端部９８ａ）に臨み、左傾斜面部６８の他端（正面視で左側端部６８ｂ）は、発射領域Ａ４を構成する内側レールＬ２の先端Ｌ２０方向に向いている。
【００４０】
右傾斜面部６９は、例えば本実施形態では、正面視で可変部材設置ベース（アタッカベース）７５の右側に隣接し、略逆Ｌ字形状の大きな面積を有する第２の役物飾り設置ベース（第２の装飾ベース）６６の上縁６６ａ側の外周面に、前記可変部材設置ベース（アタッカベース）７５との略境界位置から正面視で右方向（発射領域Ａ４と反対側の領域Ａ５方向）に下り傾斜状に一体に形成されている（図８参照）。
すなわち、横長ベース部６２の上縁側の外周面に左方向に僅かに傾斜させて備えられ、前方に所定幅で突出する横長板状の第１の傾斜面部７０と、第１の傾斜面部７０から同一の突出幅をもって縦長ベース部６３の右側の外周面６３ａに連続して下方に延びる湾曲板状の第２の傾斜面部７１と、第２の傾斜面部７１から縦長ベース部６３の右側の外周面６３ａにわたって第２の傾斜面部７１と同一の突出幅をもって下方に延びる縦長板状の第３の傾斜面部７２が一体に形成されて略逆Ｌ字形状を有している。
右傾斜面部６９の一端（正面視で第１の傾斜面部の左側端部７０ａ）は、右傾斜面部６９の中で最も高い位置にあり、可変部材設置ベース７５に備えられる可変部材８８の開口９８領域の他端（正面視で右側端部９８ｂ）上に臨み、右傾斜面部６９の他端（正面視で第３の傾斜面部の最下端部７２ａ）は、縦長ベース部６３の下端６３ｂ近くに位置している。
そして、本実施形態によれば、図４（ｃ）に示すように、右傾斜面部６９における縦長ベース部６３に位置する第３の傾斜面部７２と、正面視で右側に位置する外側のガイドレールＬ１１との間には、遊技球が１個だけ流下可能な流下領域Ａ１１が形成されている。
【００４１】
役物飾り（装飾カバー）８２は、図４に示すように、透明な合成樹脂材などの透光性部材で形成されており、ベース部材６０の横長ベース部６２の前面側に備えられる横長飾り部８３と、縦長ベース部６３の前面側に備えられる縦長飾り部８６とで構成されている。
本実施形態でこれら役物飾り８２（８３，８６）には、その背面側に図示しないボス穴を備えている。そして、球通路ベース部材１２１の前面所定位置に突設され、ベース部材６０の前面側に貫通している位置決め用のボス（図８及び図９参照）１４０を、ボス穴に嵌め込んで取り付け固定される。
なお、役物飾り８２の配設方法は特に限定されず、接着・ボルト止めなど任意である。
また、ベース部材６０の前面側に直接役物飾りとなる装飾部分を一体に成形してなる形態でも本発明の範囲内である。
【００４２】
横長飾り部８３は、本実施形態では、第１の役物飾り設置ベース６５に備えられる第１の横長飾り部８４と、第２の役物飾り設置ベース６６に備えられ、縦長飾り部８６と一体で正面視鉤型（逆Ｌ字型）に構成されている第２の横長飾り部８５とで構成されている（図４及び図５参照）。
また、本実施形態では、図４等に示すように、縦長飾り部８６を、第２の横長飾り部８５よりも幅狭に形成しているが、役物全体形状に合わせて本発明の範囲内で設計変更可能である。
【００４３】
第１の横長飾り部８４は、第１の役物飾り設置ベース６５全域を覆う程度の形状を有し、わずかに前記左傾斜面部６８の遊技球転動面６８ｃよりも突出する壁部８４ａを備え、第２の横長飾り部８５は、縦長飾り部８６と一体で正面視鉤型に形成され、第２の役物飾り設置ベース６６全域を覆う程度の形状を有し、わずかに前記右傾斜面部６９の遊技球転動面７４よりも突出する壁部８５ａを有している。この第２の横長飾り部８５と一体の縦長飾り部８６は、第２の役物飾り設置ベース６６における縦長板部６７を覆う程度の形状を有し、わずかに前記右傾斜面部６９の遊技球転動面７４よりも突出する壁部８６ａを有している。
それぞれの壁部８４ａ，８５ａは、特にその突出形状に限定されるものではなく、図に示す本実施形態のように役物飾り８２の全体イメージに合わせて凹凸状に形成するものであってもよいが、長さ方向に均一高さで形成されているものであってもよい。
【００４４】
この役物飾り８２は、遊技盤ベース７後方の球通路ベース部材１２１に備えた裏側発光機構１２９のＬＥＤ（Light Emitting Diode  発光ダイオード）からの光による装飾効果を向上させるべく凹凸加工が施され、役物飾り８２の所定箇所には、装飾用のシール８７などが貼付可能とされている（図４及び図５参照）。
装飾用のシール８７は、例えば遊技機の演出に適したキャラクタ図柄などを施した不透明なシールなどが一例として挙げられる。なお、透明なシールであっても構わない。
また、役物飾り８２は図示した本実施形態の構造になんら限定解釈されるものではなく、他の形態が本発明の範囲内で設計変更可能である。なお、役物飾り８２は特に設置するものでなくとも本発明が達成可能であり、適宜遊技盤構成に応じて設置することが可能である。
【００４５】
可変部材設置ベース（アタッカベース）７５は、透明な合成樹脂材などの透光性部材で、可変部材８８の正面視形状にあわせて正面視略円形状に形成されており、本実施形態では図９（ａ）に示すように、前記役物飾り設置ベース６４と略同一平面で並設される円形状のベース底面７６と、同じく透明な合成樹脂材などの透光性部材で略円筒形状に形成され、ベース底面７６の前面側に固定して備えられるＬＥＤカバー（カバー部材）７７とで構成されている。
ベース底面７６には、後述する接続杆１１８を貫通する図示しない貫通孔を備えている。
【００４６】
ＬＥＤカバー（カバー部材）７７は、ベース底面７６よりもわずかに小径に形成され、円板の中心を軸として正面視で左上１／４領域を所定深さで円弧状に切欠いた正面板部７８と、この正面板部７８と同一形状で軸方向に所定の奥行き幅をもって形成された筒部７９で構成された短尺筒状に形成されている。また、正面板部７８の中心には、後述する接続杆１１８を貫通する貫通孔７８ａを備えている。
このように形成されたことで、ＬＥＤカバー７７には、円筒の外周面領域８０の円弧面８０ａよりも小径の円弧面８１ａからなる凹設領域８１が配設され、この小径の円弧面８１ａからなる凹設領域８１は、円筒の外周面領域８０の円弧面８０ａと同心に形成されている。
この凹設領域８１は、ベース底面７６と可変部材８８とともに、第２の大入賞口５０ａ領域を形成するとともに、円弧面８１ａは第２の大入賞口５０ａに入賞した遊技球が転動流下する案内面として機能する。
すなわち、本実施形態では、正面視で左上の略１／４の凹設領域８１が第２の大入賞口５０ａとして機能し、この第２の大入賞口５０ａ領域内に位置するベース底面７６の最深領域には、この第２の大入賞口５０ａに入賞した遊技球を、遊技盤ベース７の背面側の球通路ベース部材１２１に備えた球通路１２７へと導き案内する図示しない第１の大入賞口通路が形成されている。
【００４７】
図９（ａ）に示す可変部材設置ベース（アタッカベース）７５における、ＬＥＤカバー７７とベース底面７６との間で区画されたスペース内、すなわち図９（ａ）に示すＬＥＤカバー７７の円筒内には、図９（ｂ）に示す発光機構１０５が備えられている。
なお、図９（ｂ）では、便宜上、ベース部材６０を取り外し、そのベース部材６０の後方で、遊技盤ベース７に設けられる取付貫通孔７ａ（図９（ｂ）では遊技盤ベース７を図示省略した。）内に配設固定されるギアボックス１０８の前方に発光機構１０５が備えられているが、本実施形態の発光機構１０５は、遊技盤ベース７の前面側に配設されるベース部材６０（可変部材設置ベース７５）の前面側とＬＥＤカバー７７との間に配設される。
【００４８】
発光機構１０５は、本実施形態では図９（ｂ）に示すように、遊技盤ベース７の背面側からベース底面７６の図示しない貫通孔及びＬＥＤカバー７７の貫通孔７８ａを貫通して備えられる接続杆１１８が貫通する貫通孔（貫通部）１０６ａを円の中心に設けた正面視円形状のベース部材（発光部ベース部材）からなる発光部設置部１０６と、その発光部設置部１０６の前面に設置される発光部１０７とで構成されている。すなわち、発光部設置部（発光部ベース部材）１０６は、上述の通り、ＬＥＤカバー７７とベース底面７６との間で区画されたスペース内に収容され、ＬＥＤカバー７７によって覆われている。
また、本実施形態では、発光部設置部１０６を構成している発光部ベース部材を、凹設領域８１を構成するＬＥＤカバー７７の筒部の円弧面８０ａを円弧の一部とする仮想円と同一径の円板状に形成し、その前面の全領域に発光部１０７を配設している。また、ＬＥＤカバー７７によって形成されるスペースの奥行き方向高さ、すなわち、発光部１０７とＬＥＤカバー７７の内面との距離は、可能な限り近接している方が好ましい。
【００４９】
発光部１０７は、例えばＬＥＤ（Light Emitting Diode  発光ダイオード）からなり、本実施形態では前記図示しない貫通孔（あるいは接続杆１１８）を中心として放射状に複数個設置されており、図示しない制御部（例えば副制御回路）からの発光信号に基づいて発光するように制御されている。
本実施形態では、次のように発光部の制御をしている。
例えば、通常時（大当たり遊技状態以外の時）は、図示しない制御部（例えば副制御回路）によりベース部材（発光部ベース部材１０６）に備えられている全ＬＥＤ（発光部１０７）は点灯制御されている。しかし、大当たり遊技状態に移行されると、ベース部材（発光部ベース部材１０６）の上半分に備えられているＬＥＤ（発光部１０７）と下半分に備えられているＬＥＤ（発光部１０７）とが異なるように発光制御されるものとしている。すなわち、大当たり遊技状態に移行され、第１の可変部材８９が回転作動すると、前記上半分に配されたＬＥＤ（発光部１０７）が点滅制御され、下半分に備えられているＬＥＤ（発光部１０７）は点灯制御されたままとなるようにしている。これにより、第２の大入賞口５０ａ開放時の発光装飾効果をより高めることが可能となる。
【００５０】
発光部１０７の構成は特に限定解釈されるものではなく、その設置形態や発光部の種類など本発明の範囲内で設計変更可能である。
例えば、図示はしないが、本実施形態において凹設領域８１を構成しているＬＥＤカバー７７の筒部の円弧面８０ａの内周面に沿うとともに、その凹設領域８１方向に向いたＬＥＤを備え、光の指向性を凹設領域８１方向とすることも可能で本発明の範囲内である。このように構成することで、特に凹設領域８１、すなわち第２の大入賞口５０ａ領域を十分に際立たせることが可能となり、光による装飾効果も向上する。
また、本実施形態では、ベース部材（発光部ベース部材１０６）の前面側に発光部１０７としてのＬＥＤを設置しているが、このベース部材（発光部ベース部材１０６）を用いないで、直接ベース底面７６に発光部を設置する形態なども本発明の範囲内であり、適宜設計変更可能である。
【００５１】
可変部材（大入賞口カバー部材）８８は、図８、図１１及び図１２に示すように、第１の可変部材（回転部材）８９と、第１の可変部材８９を覆うようにして配される第２の可変部材（固定部材）９５とからなり、ベース部材６０との間で、遊技球を入球して遊技盤ベース７の背面方向へと案内可能な円弧状の第２の大入賞口５０ａ領域を形成するとともに、正逆回転作動によって第２の大入賞口５０ａ領域を閉鎖及び開放可能に構成されている。
【００５２】
第１の可変部材（回転部材）８９は、後述する接続杆１１８を回転軸として接続杆１１８とともに正逆回転作動する所定径の円形形状に形成された円板部９０と、該円板部９０の側面の所定領域に沿って、該円板部９０の円弧と同一の円弧状で後方（ベース部材６０方向）に向けて突設（延設）した所定周方向長さの円弧状の側面部９４とで構成されている。
本実施形態によれば、円板部９０は、前記可変部材設置ベース７５のＬＥＤカバー７７よりも僅かに大径の円形状に形成されるとともに、側面部９４は、可変部材設置ベース７５に形成された凹設領域８１の上方全域を覆う周方向長さ及び奥行き方向幅の円弧状に形成されている。
また、円板部９０の背面側には、接続杆１１８を連結固定する接続部（軸受部）９１が突設されている。
接続部９１は、例えば本実施形態では、全体円筒形状に形成するとともに、その筒軸方向に断面視略半円形状の接続孔９２が形成されている。また、その接続孔９２は、円板部９０の前面側に設けられた正面視で円形状の貫通孔９３と連通している。
本実施形態では、接続杆１１８に設けた接続部材１１８ａの連結孔部１１８ｂに接続部９１を嵌め込むとともに、その接続部９１の接続孔９２に接続杆１１８が嵌り、可変部材設置ベース７５の前面にて接続杆１１８の回転作動によって正逆回転作動する。
【００５３】
第２の可変部材（固定部材）９５は、少なくともベース部材６０に取り付け固定される固定部９６を備え、第１の可変部材（回転部材）８９の円板部９０と同心で、該第１の可変部材８９よりも僅かに大径に形成される円環部（側面部）９７と、この円環部９７の周方向所定領域に設けられ、前記第１の可変部材（回転部材）の側面部９４と略同一形状の開口９８で構成されている。そして、第２の可変部材（固定部材）９５は、前記固定部９６を介してベース部材６０に固定される。
本実施形態によれば、第２の可変部材（固定部材）９５は、第１の可変部材（回転部材）８９の円板部９０よりも僅かに大径の円板部９９を円環部９７の前面に一体に備えて短尺円筒形状に構成されており、３箇所の固定部９６を円環部９７外周の所定箇所に突設している。
また、本実施形態では、この第２の可変部材９５の円板部９９の外縁９９ｃ及び円環部９７の内周面９７ａ全域に、円周方向と直交する方向に延びた突部１０２ａ，１０３ａを円周方向に所定間隔をあけて多数個突設して構成した凹凸状の光拡散部１０２，１０３を設けている。
【００５４】
第２の可変部材（固定部材）９５は、その円板部９９が、第１の可変部材（回転部材）８９の円板部９０の前面側で、該第１の可変部材８９が回転可能に前後方向（奥行き方向）で重なり合うように配設されるとともに、円環部９７がＬＥＤカバー７７の周面との間で、所定の隙間を形成するように配設される。すなわち、円環部９７は、ＬＥＤカバー７７を覆うとともに、第１の可変部材８９が回転可能に配設される程度の奥行き方向幅で形成される。
このとき、開口９８が、可変部材設置ベース７５の凹設領域８１と合うように配設される。
【００５５】
このようにして構成されることで、第２の可変部材９５は、その開口９８が可変部材設置ベース７５の凹設領域８１と同一大きさで同一位置に配され、内側のガイドレールＬ２の先端Ｌ２０と遊技球転動領域Ａ１との境界領域Ａ３方向に向けて開口することにより第２の大入賞口５０ａ領域を構成する。また、その開口９８位置は、前記境界領域Ａ３よりも上方に位置する。そして第１の可変部材８９の側面部９４は、前記開口９８の上方を、閉鎖あるいは開放するように周方向に移動することで、大入賞口扉として機能する。
【００５６】
本実施形態では、第１の可変部材８９の円板部９０と第２の可変部材９５の円板部９９が、それぞれ透光性部材で形成されている。
【００５７】
第１の可変部材８９は、側面部９４を左上１／４の位置に配した状態、すなわち、側面部９４を第２の大入賞口５０ａ領域の上方全域を覆う位置に配した状態で、円板部９０の上半分の半円形状の面部は装飾シート１０４が配設可能な回転側装飾領域９０ａとし、下半分の半円形状の面部は透光性部材を露呈した回転側透光性領域９０ｂとしている（図１２（ｂ）参照）。
【００５８】
第２の可変部材９５は、上述の通り、ベース部材６０に取り付け固定した状態で、円板部９９の下半分の半円形状の面部は装飾シート１０４が配設可能な固定側装飾領域９９ａとし、上半分の半円形状の面部は透光性部材が露呈した固定側透光性領域９９ｂとしている（図１２（ａ）参照）。
【００５９】
すなわち、第２の大入賞口５０ａ領域が第１の可変部材８９の側面部９４によって閉鎖されている状態のとき、第２の可変部材９５における固定側透光性領域９９ｂと対向する領域に第１の可変部材８９における回転側装飾領域９０ａが位置し、第２の可変部材９５における固定側装飾領域９９ａと対向する領域に第１の可変部材８９における回転側透光性領域９０ｂが位置する。これにより、可変部材８９は、正面視で前面に双方の装飾領域９０ａ，９９ａが位置している状態となる（図２及び図１４（ａ）参照）。また、本実施形態では、前記装飾シート１０４として、所定の装飾を施した透過性シールを採用する。なお、装飾シートは、透過性に限定解釈されるものではなく、非透過性であってもよい。
【００６０】
そして、第１の可変部材８９が回転し、側面部９４が第２の大入賞口５０ａ領域の上方から正面視で時計回り方向に移動して第２の大入賞口５０ａ領域を開放すると、第２の可変部材９５における固定側透光性領域９９ｂと対向する領域に位置していた第１の可変部材８９における回転側装飾領域９０ａが時計回り方向に移動する。この回転動作により、第２の可変部材９５における固定側透光性領域９９ｂには、第１の可変部材８９における回転側透光性領域９０ｂが現れ、遊技者側から双方の透光性領域９０ｂ，９９ｂを介して第２の大入賞口５０ａ内が視認可能となる（図３及び図１４（ｂ）参照）。
このとき、側面部９４が第２の大入賞口５０ａ領域を開放すると同時に固定側透光性領域９９ｂに回転側透光性領域９０ｂが現れるため、その現れた回転側透光性領域９０ｂにより、図３からもわかるように正面視で（遊技者から見て）第２の大入賞装置５０があたかも口を開けているかのように見せることが出来、第２の大入賞口５０ａの開口状態を強調することができる。
【００６１】
また、本実施形態では、第１の可変部材８９の円板部９０と第２の可変部材９５の円板部９９の全体が、それぞれ透光性部材で形成されている実施の形態であるが、装飾シート１０４を貼り付ける装飾領域９０ａ，９９ａ以外の透光性領域（回転側透光性領域９０ｂと固定側透光性領域９９ｂ）のみを透光性部材で形成するものであってもよい。あるいは、円板部９０と側面部９４からなる第１の可変部材８９の全体、円板部９９と円環部９７からなる第２の可変部材９５の全体を、それぞれ透光性部材で形成しているものであってもよい。
【００６２】
ギアボックス１０８は、ボックス底面１０９と、そのボックス底面１０９の前面に取り付けられて内部を外方から遮蔽するボックスカバー１１０とで構成されており、ボックスカバー１１０の周面任意箇所には、遊技盤ベース７の背面に突き当ててボルト止め可能な取付片１１１が突設されている。
そして、そのボックス１０８内には、第１の可変部材（回転部材）８９を正逆回転作動させる回転駆動機構１１２が収容されている。
【００６３】
ギアボックス１０８は、ベース部材６０における可変部材設置ベース（アタッカベース）７５と対向する位置で遊技盤ベース７の背面側に配設され、遊技盤ベース７の前面側には突出しないように配設されている。
本実施形態では、例えば図１５に示すように、遊技盤ベース７における可変部材設置ベース７５の配設領域に、ギアボックス１０８を組み込み可能な形状で取付貫通孔７ａを設け、その取付貫通孔７ａ内にギアボックス１０８を収納可能に配設固定し、前記ベース部材６０における可変部材設置ベース（アタッカベース）７５の背面側に位置させている。
なお、本実施形態によれば、ギアボックス１０８は、遊技盤ベース７の奥行き方向ベース厚さと略同程度の奥行き方向厚さで形成されており、遊技盤ベース７の背面側から取付貫通孔７ａ内にギアボックス１０８を組み込み収納するとともに取付片１１１を遊技盤ベース７の背面に突き当て、遊技盤ベース７の背面側からボルトなどの固定部材を介して遊技盤ベース７と一体的に取り付け固定される。
従って、本実施形態によれば、上述の通りに構成されることで、遊技盤ベース７の前面とギアボックス１０８の前面は、同一平面に備えられている。
なお、図１５は可変部材８８、可変部材設置ベース７５、発光機構１０５、遊技盤ベース７、ギアボックス１０８のそれぞれの位置関係を説明するための概略を示す横断面図であり、詳細な機構は一部省略及び簡素化している。
【００６４】
回転駆動機構１１２は、例えば、正逆回転可能（図１０にて正面視で矢印Ｒ１で示す時計回り方向・矢印Ｒ２で示す反時計回り方向に回転可能）に軸支された大径状の第１ギア１１３と、この第１ギア１１３と横並びで噛合って、第１ギア１１３の回転作動によって正逆回転作動する小径状の第２ギア１１７と、第２ギア１１７を正逆回転可能に軸支するとともに、前記第１の可変部材８９を正逆回転可能に接続する接続杆１１８とで構成されている。
【００６５】
第１ギア１１３は、ボックス底面１０９に正逆回転可能に取り付けられ、ボックス底面１０９の前面側に突出している回転軸１１４と、回転軸１１４を円中心に配して一体に構成される円板状のギア部材（ギア大）１１５とからなる。この第１ギア１１３は、第１ギア１１３と対向する背面位置で球通路ベース部材１２１側に備えられる可変部材駆動制御部１３０と連結されて正逆回転制御される。この制御機構については後述する。
第２ギア１１７は、ボックス底面１０９に正逆回転可能に取り付けられて回転軸として機能する前記接続杆１１８と、接続杆１１８を円中心に配して一体に構成される円板状のギア部材（ギア小）１１９とからなる。
【００６６】
本実施形態では、前記第１ギア１１３のギア部材１１５に、外周面から円中心方向に向けて凹設される切欠き領域１１６が備えられている。この切欠き領域１１６は、その切欠き領域１１６の周方向幅よりも小さく形成され、ボックス底面１０９の所定箇所に取付固定されて切欠き領域１１６内に位置するくさび形状の回転制御部材１２０とともに、第１ギア１１３の回転範囲を制御する。なお、本実施形態における第１ギア１１３の回転制御については、後述する可変部材駆動制御部１３０が行うことを基本とし、この切欠き領域１１６と回転制御部材１２０は予備的に備えられているものとする。
【００６７】
球通路ベース部材１２１は、図９（ｂ）及び図１０に示すように、幅広板状の横ベース部１２２と、横ベース部１２２と比して幅狭板状に形成された縦ベース部１２３とで、前記ベース部材６０と略同一形状の正面視略鉤型形状に形成され、その周面所定箇所には取付片１２４が突設されている。
そして、遊技盤ベース７の背面側で、ベース部材６０と対向する所定位置に配し、遊技盤ベース７の背面に取付片１２４を突き当てるとともに、遊技盤ベース７の背面側からボルトなどの固定部材を介して遊技盤ベース７と一体的に取り付け固定される。なお、球通路ベース部材１２１の前面側には、上述した通り、所定位置に前方へ向けて突出する位置決め用のボス１４０…が複数個設けられている。
【００６８】
球通路ベース部材１２１は、横ベース部１２２の所定位置にギアボックス１０８の背面側に向けて貫通する所定の貫通窓部（可変部材駆動制御部１３０を収納する領域）１２５と、前記ベース部材６０に設けられた図示しない第１の大入賞口通路及び遊技盤ベース７に設けられた図示しない第２の大入賞口通路と連通し、第２の大入賞口５０ａに入賞した遊技球を遊技盤ベース７の背面側へと転動案内する第３の大入賞口通路１２６を備えている。
そして、前記第１の大入賞口通路、第２の大入賞口通路、及び第３の大入賞口通路１２６にわたって備えられるとともに、球通路ベース部材１２１の背面に沿い、かつ横ベース部１２２から縦ベース部１２３に向けて下り傾斜状に形成され、その下端を縦ベース部１２３の末端に開放させて位置する球通路１２７を備えている。
球通路１２７は、その開放した末端側を遊技盤６の側面に備えられる図示しない樋通路に連通させ、遊技球を樋通路へと転動案内する。
【００６９】
本実施形態では、貫通窓部１２５と水平方向で隣り合う領域の面部と、前記縦長飾り部８６が備えられるベース部材６０の所定領域と奥行き方向で対向する縦ベース部１２３の面部の双方に、所定の光拡散部１２８を凹凸加工によって形成するとともに、その光拡散部１２８の背面方向に所定の裏側発光機構１２９をそれぞれ一体に配設している。
裏側発光機構１２９は、例えば、所定形状に形成されたベース部１２９ａと、そのベース部１２９ａの前面側に配設されたＬＥＤ（Light Emitting Diode  発光ダイオード）からなる図示しない裏側発光部とで構成され、図示しない制御部（例えば副制御回路）からの発光信号に基づいて発光するように制御されている。
裏側発光部の構成は特に限定解釈されるものではなく、その設置形態や発光部の種類など本発明の範囲内で設計変更可能である。
この光拡散部１２８は、役物飾り８２の所定箇所を、その背面方向から発光させることで光装飾効果を高める役割を有している。特に、縦ベース部１２３の面部に設けた光拡散部１２８と裏側発光機構１２９によれば、上述した光装飾効果とともに、光によって内部構造を遊技者側から見え難くして隠蔽効果を向上させる役割をも有している。
【００７０】
可変部材駆動制御部１３０は、遊技盤ベース７の背面側に配され、前記可変部材８９を駆動させる回転駆動機構１１２の動作を制御するもので、例えば本実施形態では、回転駆動機構１１２を構成している第１ギア１１３と連結されるソレノイド機構が一例として挙げられる。
ソレノイド機構（可変部材駆動制御部１３０）は、図１３に示すように、ソレノイド部１３１と、該ソレノイド部１３１と連結されて上下作動する作動部（ソレノイドレバー）１３４とで構成されている。
【００７１】
ソレノイド部１３１は、本実施形態では、ギアボックス１０８のボックス底面１０９の背面側にフレーム１３２が取り付け固定され、図示しない制御部（例えば主制御回路）からの駆動信号に基づいて、前記フレーム１３２の底面側から下方に向けて突出するとともに、所定距離だけ上下方向（図１３にて上方向を矢印Ｘ１で示し、下方向を矢印Ｘ２で示す。）に進退作動するように制御されている可動鉄心（プランジャ）１３３を有する。なお、本実施形態では、通電時に可動鉄心（プランジャ）１３３が上方に引寄せられ（矢印Ｘ１方向に上昇）、遮断時に可動鉄心（プランジャ）１３３が降下（矢印Ｘ２方向に降下）する、いわゆるプル方式が採用される。
すなわち、本実施形態によれば、大当たり遊技状態に移行したとき、第１の可変部材８９を時計回り方向（図１４（ａ）にて矢印Ｒ１で示す方向）に回転させて第２の大入賞口５０ａを開放する場合に所定時間通電し、第１の可変部材８９を逆方向（図１４（ａ）にて矢印Ｒ２で示す方向）に回転させて第２の大入賞口５０ａを閉鎖する場合に遮断する。この作動を所定ラウンドごとに行う。
【００７２】
作動部（ソレノイドレバー）１３４は、可動鉄心（プランジャ）１３３の先端部１３３ａを揺動可能に軸支する受け部１３５と、該受け部１３５から延設されて上方に延びる作動杆１３６とで構成されている。
そして、作動部１３４の受け部１３５に前記可動鉄心（プランジャ）１３３の先端部１３３ａを軸支して連結するとともに、作動杆１３６の上端１３６ａ側を第１ギア１１３のギア部材１１５の背面側に揺動可能に連結する。
【００７３】
ここで、本実施形態の可変部材駆動制御部１３０、回転駆動機構１１２及び可変部材８８の作動形態の一例について説明する。
【００７４】
このように構成したことにより、まず、図示しない制御部（例えば主制御回路）からの駆動信号に基づいて、ソレノイド部１３１に通電されると、前記フレーム１３２の底面側から下方に向けて突出している可動鉄心（プランジャ）１３３が、所定距離だけ上方に引寄せられる（図１３にて矢印Ｘ１方向に上昇する）。
可動鉄心（プランジャ）１３３が上方に引寄せられると、可動鉄心（プランジャ）１３３の先端１３３ａと揺動可能に軸支されている受け部１３５が上昇（図１３にて矢印Ｘ１方向に上昇する）し、その受け部１３５の上昇作動により作動杆１３６がともに上昇（図１３にて矢印Ｘ１方向に上昇）して第１ギア１１３のギア部材１１５を反時計回り方向（図図１０及び図１３にて、矢印Ｒ２方向）に所定距離だけ回転させる。
【００７５】
この第１ギア１１３のギア部材１１５が反時計回り方向（図１０及び図１３中、矢印Ｒ２方向）に回転すると、第２ギア１１７のギア部材１１９が時計回り方向（図１０及び図１３中、矢印Ｒ１方向）に所定距離だけ回転する。
このように第２ギア１１７のギア部材１１９が時計回り方向（図１０及び図１３中、矢印Ｒ１方向）に回転することで接続杆１１８を介して連結される第１の可変部材８９がともに時計回り方向（図１０、図１３及び図１４中、矢印Ｒ１方向）に回転し、第１の可変部材８９の側面部９４が第２の大入賞口５０ａの上方から移動して第２の大入賞口５０ａを開放する。
【００７６】
次に、所定時間の通電により第２の大入賞口５０ａの開放時間が終了すると、図示しない制御部（例えば主制御回路）からの遮断信号に基づいてソレノイド部１３１への通電が遮断され、可動鉄心（プランジャ）１３３が降下（図１３中、矢印Ｘ２方向に降下）する。
この可動鉄心（プランジャ）１３３の降下作動により、受け部１３５が所定距離降下（図１３中、矢印Ｘ２方向に降下）し、これとともに作動杆１３６が下方に所定距離移動（図１３中、矢印Ｘ２方向に移動）する。
この作動杆１３６の下方への移動により、第１ギア１１３のギア部材１１５が時計回り方向（図１０及び図１３中、矢印Ｒ１方向）に回転すると、第２ギア１１７のギア部材１１９が反時計回り方向（図１０及び図１３中、矢印Ｒ２方向）に所定距離だけ回転する。
このように第２ギア１１７のギア部材１１９が反時計回り方向（図１０及び図１３中、矢印Ｒ２方向）に回転することで接続杆を介して連結される第１の可変部材８９がともに反時計回り方向（図１０、図１３及び図１４中、矢印Ｒ２方向）に回転し、第１の可変部材８９の側面部９４が第２の大入賞口５０ａの上方へと移動して第２の大入賞口５０ａを閉鎖する。
【００７７】
第１の大入賞装置１１と第２の大入賞装置５０は、それぞれ大当たり遊技状態の発生に基づき、それぞれの入賞口１１ａ，５０ａの開放動作を行うものであるが、本実施形態では、大当たり遊技のラウンド数に応じて動作するものを想定している。
すなわち、例えば、第１ラウンド〜第８ラウンドまでは第１の大入賞装置１１が作動し、第９ラウンド〜第１６ラウンドまでは第２の大入賞装置５０が作動するように制御される。
さらに本実施形態では、８ラウンド大当たり遊技状態終了後、さらに第１６ラウンドまで大当たり遊技状態を継続することを報知する演出形態を採用している。
【００７８】
まず、始動入賞装置９に遊技球が入賞し、抽選の結果、図柄が特定態様となり大当たり遊技状態に移行するとなった場合、第１の大入賞装置１１の大入賞扉１１ｂが開放作動して大入賞口１１ａが開放される。この第１の大入賞装置１１は上述の通り第１ラウンド〜第８ラウンドまで開閉作動される。
そして、第８ラウンドの大当たり遊技状態が終了すると、第２の大入賞装置５０の第１の可変部材８９が時計回り方向に回転し、側面部９４が移動して第２の大入賞口５０ａが開放される。そして、遊技者は、第９ラウンド〜第１６ラウンドの大当たり遊技が楽しめる。
【００７９】
また、本実施形態では、この第２の大入賞装置５０の第２の大入賞口５０ａの開放にあたって、大当たり時の利益が最も高い１６ラウンド大当たりであることを遊技者に報知する所定の演出がなされる形態を採用している。すなわち、第８ラウンド中に、第８ラウンド以降も大当たりが継続する１６ラウンド大当たりであるか、あるいは第８ラウンドで終了してしまう８ラウンド大当たりであるかを報知する報知演出が行われる（報知手段１３７が採用されている。）。
【００８０】
例えば本実施形態では、図柄表示領域Ａ２に表示される左右一列に並んだ８つのＬＥＤランプ１３７ａ，１３７ｂ，１３７ｃ，１３７ｄ，１３７ｅ，１３７ｆ，１３７ｇ，１３７ｈを模した映像によって行われ、このＬＥＤランプのうち、遊技者側から見て左側４つのＬＥＤランプ１３７ａ，１３７ｂ，１３７ｃ，１３７ｄがハズレ（８ラウンド大当たりで終了）、右側４つのＬＥＤランプ１３７ｅ，１３７ｆ，１３７ｇ，１３７ｈが当たり（１６ラウンドまで大当たりが継続）を示すようになっている。
すなわち、第８ラウンドに突入すると、このＬＥＤランプ１３７ａ…が左から右に順に点灯（１３７ａ→１３７ｈ）し、最終的に点灯したＬＥＤランプ１３７ａ…の場所によって８ラウンド大当たりか１６ラウンド大当たりかを報知する。
具体的には、右側４つのＬＥＤランプ１３７ｅ，１３７ｆ，１３７ｇ，１３７ｈのいずれかが点灯した場合、１６ラウンド大当たりが確定する。このとき、例えば第８ラウンドまでの背景表示（図柄表示領域Ａ２への映像表示）とは異なった背景表示に切り替えるとともに、第２の大入賞装置５０の第２の大入賞口５０ａの開放が開始される。
【００８１】
本実施形態によれば、遊技盤６の上方領域に備えた第２の大入賞装置５０が可変部材８８を構成する短尺の円筒形状であり、かつその第２の大入賞口５０ａとなる開口９８が、内側のガイドレールＬ２の先端Ｌ２０と遊技球転動領域Ａ１との境界領域Ａ３方向に向けて開口するとともに、前記境界領域Ａ３よりも上方に位置している構成としたため、遊技球転動領域Ａ１を転動流下する遊技球が開口９８の上方に当たると、その円筒状の可変部材８８の筒外周に沿って開口９８付近に転動流下する確率が高いので、第２の大入賞口５０ａに入賞し易くなる。従って、打ち出した遊技球に対して第２の大入賞口５０ａに入賞する入賞率が高くなる。
また、一般的な打ち込み位置である天釘３０付近やぶっこみ付近を狙いさえすれば、第１の大入賞装置１１、第２の大入賞装置５０の両方に入賞し易くなる。これにより、大入賞装置の入賞口が開閉作動する大当たり遊技状態の時でも、打球位置を気にすることなくその遊技を消化できる。
【００８２】
本実施形態によれば、右傾斜面部６９における縦長飾り部８６に位置する面部６９ｂと発射領域Ａ４と反対側の領域Ａ５との間には、遊技球が流下可能な流下領域Ａ１１しかないため、遊技者はその領域Ａ１１の狭さから、感覚的にも発射領域Ａ４と反対側の領域Ａ５方向への遊技球の発射を避けるようになる。
そうすると、殆どの遊技球が頂部６９ａから第２の大入賞装置５０の開口９８付近を転動流下するとともに、発射領域Ａ４と図柄表示領域Ａ２との間の遊技球転動領域Ａ１を転動流下するようになるので、打球位置を変更せずとも第１の大入賞装置１１と第２の大入賞装置５０を狙えるようになる。また、発射領域Ａ４側の遊技球転動領域Ａ１を遊技球が多く転動流下することにより、発射領域Ａ４と反対側の領域Ａ５に遊技球が分散して転動流下する従来の遊技機と比して、大入賞装置への入賞率、特に第２の大入賞装置５０への入賞率が向上するため、大入賞装置の入賞口が開閉作動する遊技状態の時の遊技の消化時間が早まる。
【００８３】
また、本実施形態では、上述したように、図柄表示領域Ａ２に変動表示される複数列の図柄群（１９ａ，１９ｂ，１９ｃ）毎に対応して設けられ、変動表示する図柄を遊技者が停止操作することが可能な停止操作部２０（２０ａ，２０ｂ，２０ｃ）を備えた遊技機であるため、夫々の変動表示する図柄（１９ａ，１９ｂ，１９ｃ）群から所定の図柄を有効ライン上に停止させる、いわゆる「目押し」が必要となる。
この際、遊技者は、ある程度「目押し」遊技に集中する必要が出てくるため、打球位置（遊技球の打ち込み位置）に集中できなくなることがある。
本実施形態によれば、打球位置をそれ程気にせずとも第１の大入賞装置１１・第２の大入賞装置５０や始動入賞装置９に遊技球を入賞させることができる。
すなわち、本実施形態によれば、天釘３０付近の領域を狙って遊技球を打ち込めば、遊技球転動領域Ａ１に発射された遊技球は、第２の大入賞装置５０、遊技球誘導板２６と正面視で左側に位置する外側のガイドレールＬ１との間の遊技球転動領域Ａ１、第１の大入賞装置１１方向へと転動流下する可能性が極めて高くなるため、遊技者は打球位置を気にすることなく「目押し」遊技に集中することができ、遊技の興趣を向上できる。
【００８４】
本実施形態では上述の通り、遊技盤ベース７の前面側に配した可変部材設置ベース（アタッカベース）７５内に発光部（ＬＥＤ）１０７を備えたため、可変部材設置ベース７５内で発光部１０７が光ると、可変部材設置ベース７５全体が発光するような発光効果がある。
これにより、第１の可変部材８９が回転して第２の大入賞口５０ａが開放されたとき、その開放面を発光部（ＬＥＤ）１０７にて照らし、第２の大入賞口５０ａが開放されている旨を発光演出によって遊技者に報知することができる。
本実施形態によれば、発光部（ＬＥＤ）１０７が大入賞口の開放面から離れた位置に設置されている場合と比して、開放面をより強く発光させることができ、第２の大入賞口５０ａ、すなわち大当たり遊技状態のときに狙う場所を遊技者に判り易く示唆することができる。特に、本発明のような従来にない形態の大入賞装置（第２の大入賞装置５０）を採用した場合、大当たり時に狙う入賞口（第２の大入賞口５０ａ）の場所・位置を遊技者に判り易く示唆するためにも開放面を強調する構成を有するのが好ましい。
【００８５】
また、本実施形態における第２の大入賞装置５０の可変部材８８は、第１の可変部材８９と第２の可変部材９５を有し、大当たり時には、第１の可変部材８９が時計方向に回転し、第２の可変部材９５の開口９８を徐々に開放して大入賞口５０ａを開放する構造であるため、可変部材８８で覆われているＬＥＤカバー７７内で発光している発光部１０７の光が、開放される大入賞口５０ａから外方に漏れ出すように光る。このとき、発光部１０７の光は、徐々に開放される大入賞口５０ａを介して外方に解き放たれるため、遊技者は、あたかも特別な入賞口が開放されたとの期待感が高まり、遊技の興趣が向上する。
【００８６】
また、従来の入賞装置で大入賞扉や羽根部材などの可変部材を開閉操作する場合、ソレノイドなどの可変部材駆動制御部（駆動機構）の動きを大入賞扉や羽根部材などの可変部材の開閉動作に変換するための各種部材（変換機構）がソレノイドなどの前面側に種々配置されていた。従って、従来の遊技機の場合、ソレノイドなどの可変部材駆動制御部（駆動機構）の前面側に各種部材（変換機構）があるため、その前面側に発光機構を設けることができず位置的な制約を受けていた。
本実施形態によれば、第１の可変部材８９を回転させて第２の大入賞口５０ａを開閉操作する回転駆動機構１１２が収容されたギアボックス１０８が、遊技板ベース７に設けた取付貫通孔７ａに収容され、かつその回転駆動機構１１２を制御する可変部材駆動制御部１３０が遊技板ベース７の背面側に備えられるため、遊技盤ベース７の前面側（第２の大入賞口５０ａの周り）にはそれら機構等がない。すなわち本実施形態では、第１の可変部材８９を回転可能に接続する回転駆動機構１１２の接続杆１１８だけが遊技盤ベース７の前面側に突設されることとなるため、発光機構を設けるにあたり位置的な制約が少なくなる。
【００８７】
また、本実施形態によれば、第２の大入賞装置５０として、正面視で円形状の第１の可変部材８９と第２の可変部材９５からなる短尺円筒形状の構成が提供されるため、従来の遊技機にはない意外な形態の大入賞装置が提供でき、入賞扉として機能する円弧状の側面部９４と入賞口として機能する円弧状の入賞口領域（開口９８領域）が斬新で、従来の遊技機にはない開放作動・形態を得ることが出来る。
すなわち、第２の大入賞装置５０が正面視で円形状の短尺円筒状に形成され、第１の可変部材８９が正逆回転されることで円弧状の側面部９４が入賞扉として機能し、遊技球転動領域Ａ１を転動流下する遊技球を拾って遊技盤ベース７の背面側へと導く第２の大入賞口５０ａを開放・閉鎖することができるので、従来の一般的な前後方向に開閉作動する横長板状の入賞扉を有する大入賞装置とは作動態様が大きく異なり、意外性・装飾性に優れ、遊技の興趣が向上する。
なお、本実施形態では、第１の大入賞装置１１として従来の大入賞装置と同様の一般的な構成を採用しているが、この第１の大入賞装置として、正面視で円形の短尺円筒形状を有する本実施形態の第２の大入賞装置５０と同様の構成を採用することも可能で本発明の範囲内である。
【００８８】
また、本実施形態では、正面視円形を有する短尺円筒状に第２の大入賞装置（可変部材）５０を構成し、その大入賞扉として機能する側面部９４が円筒部の筒周面を構成する円弧状であるため、その円弧状の遊技球通過領域の開口方向や開口領域の設定の自由度が高く、設置位置の設定の制約も受け難くなる。すなわち、大入賞装置の設置位置を、遊技盤の遊技領域の端や上方においても開口の向きを変えることによって遊技球を拾う（入賞）ことが可能となる。
「変形例１」
【００８９】
上述した実施例１では、第１の大入賞装置１１と第２の大入賞装置５０の２つの大入賞装置を備えた実施の一形態について説明するが、大入賞装置は一つとし、第１の大入賞装置１１に代えて、第１の大入賞装置１１の位置に第２の大入賞装置５０のみを配設してもよいし、若しくは、第１の大入賞装置１１を備えずに、第２の大入賞装置５０のみをその第２の大入賞装置５０の配設位置に備える形態であっても本発明の範囲内である。
「変形例２」
【００９０】
さらに、大入賞装置ではない可変入賞装置、例えば遊技球が入賞し易い開状態と遊技球が入賞し難い閉状態に駆動する可変部材を備えた可変入賞装置として始動入賞装置や一般入賞装置などに本発明を適用することも可能である。
このように例えば始動入賞装置などを第２の大入賞装置５０の形態を有する可変入賞装置とすることにより、開口９８の向きを変えることによって遊技球を拾う（入賞）ことが可能であるため、可変入賞装置の設置位置を遊技盤の遊技領域の端や上方にすることも可能で、設置位置の自由度が高くなる。
【図面の簡単な説明】
【００９１】
【図１】本発明遊技機の一実施形態を示す概略斜視図である。
【図２】種々の遊技部材を備えた遊技盤の概略正面図で、第２の大入賞装置の入賞口が閉鎖している状態である。
【図３】種々の遊技部材を備えた遊技盤の概略正面図で、第２の大入賞装置の入賞口が開放されている状態である。
【図４】（ａ）は第２の大入賞装置の概略正面図、（ｂ）は右傾斜面部と右側ガイドレールとの位置関係を示す概略図である。
【図５】第２の大入賞装置の概略斜視図である。
【図６】第２の大入賞装置の背面図である。
【図７】第２の大入賞装置を背面側から見た状態の概略斜視図である。
【図８】役物飾りを取り外した状態の第２の大入賞装置を正面側から見た状態の概略斜視図である。
【図９】（ａ）は図８の状態から可変部材（大入賞口カバー部材）を取り外した状態の第２の大入賞装置を正面側から見た状態の概略斜視図で、（ｂ）は図９（ａ）の状態からベース部材とカバー部材を取り外した状態の第２の大入賞装置を正面側から見た状態の概略斜視図である。
【図１０】（ａ）は図９（ｂ）の状態からギアボックスカバーを取り外した状態の第２の大入賞装置を正面側から見た状態の概略斜視図、（ｂ）は図１０（ａ）の状態から発光部設置部を取り外し、回転駆動機構が露呈した状態の第２の大入賞装置を正面側から見た状態の概略斜視図である。
【図１１】（ａ）は正面側から見た可変部材（大入賞口カバー部材）の概略斜視図、（ｂ）は背面側から見た可変部材（大入賞口カバー部材）の概略斜視図である。
【図１２】可変部材（大入賞口カバー部材）の構成図で、（ａ）は正面側から見た第２の可変部材（固定部材）の概略斜視図、（ｂ）は背面側から見た第２の可変部材（固定部材）の概略斜視図、（ｃ）は正面側から見た第１の可変部材（回転部材）の概略斜視図、（ｄ）は背面側から見た第１の可変部材（回転部材）の概略斜視図である。
【図１３】回転駆動機構及び可変部材駆動制御部の概略斜視図である。
【図１４】第２の大入賞装置の可変部材（大入賞口カバー部材）の作動状態を示す概略斜視図である。
【図１５】第２の可変入賞装置領域の概略を示す横断面図である。
【符号の説明】
【００９２】
Ａ  遊技領域
Ａ１  遊技球転動領域
６  遊技盤
７  遊技盤ベース
５０  第２の大入賞装置
８８  可変部材
８９  第１の可変部材
９４  側面部
９５  第２の可変部材
９８  開口
５０  第２の大入賞装置
５０ａ  第２の大入賞口
１０６  発光部設置部
１０６ａ  貫通部（貫通孔）
１０７  発光部（ＬＥＤ）
１１２  回転駆動機構
１１８  接続杆
１３０  可変部材駆動制御機構
【図１】
2008302011.tif 000003
【図２】
2008302011.tif 000004
【図３】
2008302011.tif 000005
【図４】
2008302011.tif 000006
【図５】
2008302011.tif 000007
【図６】
2008302011.tif 000008
【図７】
2008302011.tif 000009
【図８】
2008302011.tif 000010
【図９】
2008302011.tif 000011
【図１０】
2008302011.tif 000012
【図１１】
2008302011.tif 000013
【図１２】
2008302011.tif 000014
【図１３】
2008302011.tif 000015
【図１４】
2008302011.tif 000016
【図１５】
2008302011.tif 000017